(57)【要約】【課題】定型業務でファクシミリ送信を行うときの作業を容易とすると共に誤送信を抑制する。【解決手段】制御部では、宛先が指定されてファクシミリ送信の開始が指示されると、原稿の画像を読み込みながら原稿枚数Ｃｓを計数し、原稿を読み込むと、原稿枚数と基準原稿枚数Ｅｓとが相違するか否かを確認する（ステップ１００〜ステップ１０８）。ここで、原稿枚数と基準原稿枚数が相違しなければ、原稿枚数の確認を行わずにファクシミリ送信を実行する（ステップ１１０）。また、原稿枚数と基準原稿枚数が相違するときには、原稿枚数確認画面を表示して、原稿枚数の確認を促し、送信の実行が指示されたときにはファクシミリ送信を実行する（ステップ１１４、１１０）。【選択図】図４
2010103593.tif 000002
【特許請求の範囲】
【請求項１】
原稿の画像を読み取る画像読取手段と、
前記画像読取手段によって読み取られた前記原稿の画像を指定された送信先へ送信する送信手段と、
前記画像読取手段によって読み取る前記原稿の枚数を計数する計数手段と、
前記計数手段によって計数された前記原稿の枚数と予め設定されている基準とする原稿枚数とに基づいて、前記送信手段による前記送信先への前記原稿の画像の送信を制御する送信制御手段と、
を含む画像送信装置。
【請求項２】
前記送信制御手段が、前記原稿枚数が前記基準とする原稿枚数である場合に前記送信手段による送信を実行する請求項１に記載の画像送信装置。
【請求項３】
前記原稿枚数が前記基準とする原稿枚数と相違する場合に、前記原稿枚数の確認を要求する確認要求手段を含む請求項１に記載の画像送信装置。
【請求項４】
前記送信制御手段が、前記原稿枚数が前記基準とする原稿枚数と相違する場合に、前記原稿の画像の送信を実行しない請求項１に記載の画像送信装置。
【請求項５】
前記送信先を特定する送信先情報と前記基準とする原稿枚数とを対応付けて記憶する送信先情報記憶手段を有し、
前記送信制御手段が、前記送信先情報記憶手段に記憶された前記送信先情報に対応付けられた前記原稿枚数を、前記基準とする原稿枚数とする請求項１から請求項４の何れか１項に記載の画像送信装置。
【請求項６】
前記送信制御手段が、前記送信先の送信履歴に含まれる原稿枚数を、前記基準とする原稿枚数とする請求項１から請求項４の何れか１項に記載の画像送信装置。
【請求項７】
前記基準とする原稿枚数が、前記送信先への送信回数と送信ごとの原稿枚数とに基づいて設定される請求項６に記載の画像送信装置。
【請求項８】
前記基準とする原稿枚数が、前回の原稿枚数から設定される請求項６又は請求項７に記載の画像送信装置。
【請求項９】
前記計数手段によって計数された前記原稿枚数を前記基準とする原稿枚数として設定するか否かを選択する選択手段を含む請求項６から請求項８の何れか１項に記載の画像送信装置。
【請求項１０】
コンピュータを、
画像読取手段によって画像が読み取られる原稿の枚数を計数する計数手段と、
前記計数手段によって読み取られた前記原稿の枚数が、前記原稿の送信先に対して予め設定されている基準の原稿枚数であるときに、送信手段により前記原稿の画像を前記送信先として指定された宛先へ送信するのを制御する送信制御手段と、
して動作させるプログラム。
【発明の詳細な説明】
【技術分野】
【０００１】
本発明は、画像送信装置及びプログラムに関する。
【背景技術】
【０００２】
従来、ファクシミリ装置又はファクシミリ機能を備えた複合機（以下、総称してファクシミリ装置とする）などでは、原稿枚数をカウントしながらカウント値を表示し、表示されたカウント値が、実際の原稿枚数とあっているか否かの確認を促すことにより、原稿読み取り時の重送などによる原稿不足などの誤送信、送信不良などが発生する提案がなされている（例えば、特許文献１参照。）。
【０００３】
また、原稿などの書類の様式とその様式の書類の送信許可を与える宛先を予め登録しておき、原稿から読み取った様式が、指定された宛先に許可されている様式であるときに、送信を許可することにより、定型文などを送信するときに宛先を間違うなどの誤送信を防止する提案がなされている（例えば、特許文献２参照。）。
【特許文献１】特開２００１−２１１２７３号公報
【特許文献２】特開２００２−３４４７１５号公報
【発明の開示】
【発明が解決しようとする課題】
【０００４】
本発明は、繰り返し利用されるような送信処理における原稿枚数の間違いなどの誤送信の発生を抑制可能とする画像送信装置及びプログラムを提供することを目的とする。
【課題を解決するための手段】
【０００５】
上記目的を達成するための請求項１の画像送信装置は、原稿の画像を読み取る画像読取手段と、前記画像読取手段によって読み取られた前記原稿の画像を指定された送信先へ送信する送信手段と、前記画像読取手段によって読み取る前記原稿の枚数を計数する計数手段と、前記計数手段によって計数された前記原稿の枚数と予め設定されている基準とする原稿枚数とに基づいて、前記送信手段による前記送信先への前記原稿の画像の送信を制御する送信制御手段と、を含む。
【０００６】
請求項２の画像送信装置は、請求項１に記載の画像送信装置において、前記送信制御手段が、前記原稿枚数が前記基準とする原稿枚数である場合に前記送信手段による送信を実行する。
【０００７】
請求項３の画像送信装置は、請求項１に記載の画像送信装置において、前記原稿枚数が前記基準とする原稿枚数と相違する場合に、前記原稿枚数の確認を要求する確認要求手段を含む。
【０００８】
請求項４の画像送信装置は、請求項１に記載の画像送信装置において、前記送信制御手段が、前記原稿枚数が前記基準とする原稿枚数と相違する場合に、前記原稿の画像の送信を実行しない。
【０００９】
請求項５の画像送信装置は、請求項１から請求項４の何れか１項に記載の画像送信装置において、前記送信先を特定する送信先情報と前記基準とする原稿枚数とを対応付けて記憶する送信先情報記憶手段を有し、前記送信制御手段が、前記送信先情報記憶手段に記憶された前記送信先情報に対応付けられた前記原稿枚数を、前記基準とする原稿枚数とする。
【００１０】
請求項６の画像送信装置は、請求項１から請求項４の何れか１項に記載の画像送信装置において、前記送信制御手段が、前記送信先の送信履歴に含まれる原稿枚数を、前記基準とする原稿枚数とする。
【００１１】
請求項７の画像送信装置は、請求項６に記載の画像送信装置において、前記基準とする原稿枚数が、前記送信先への送信回数と送信ごとの原稿枚数とに基づいて設定される。
【００１２】
請求項８の画像送信装置は、請求項６又は請求項７に記載の画像送信装置において、前記基準とする原稿枚数が、前回の原稿枚数から設定される。
【００１３】
請求項９の画像送信装置は、請求項６から請求項８の何れか１項に記載の画像送信装置において、前記計数手段によって計数された前記原稿枚数を前記基準とする原稿枚数として設定するか否かを選択する選択手段を含む。
【００１４】
請求項１０のプログラムは、コンピュータを、画像読取手段によって画像が読み取られる原稿の枚数を計数する計数手段と、前記計数手段によって読み取られた前記原稿の枚数が、前記原稿の送信先に対して予め設定されている基準の原稿枚数であるときに、送信手段により前記原稿の画像を前記送信先として指定された宛先へ送信するのを制御する送信制御手段と、して動作させる。
【発明の効果】
【００１５】
以上説明したように請求項１の発明によれば、送信する原稿枚数が想定される場合において、原稿の画像を送信するときに、誤送信を抑えることができる。
【００１６】
請求項２の発明によれば、予め定められた基準枚数と一致する枚数の原稿を読み取った場合に、送信処理に適した原稿枚数であるとして送信処理を実行することができる。
【００１７】
請求項３の発明によれば、送信しようとする原稿枚数が予め定められた基準枚数と一致しないことをユーザが認識することが可能となり、予期しない誤送信を防止することができる。
【００１８】
請求項４の発明によれば、読み込んだ原稿枚数が予め定められた基準枚数と一致しない送信処理を実行しないことにより、予期しない誤送信を防止することができる。
【００１９】
請求項５の発明によれば、送信する宛先に応じた適切な送信原稿枚数である場合に送信処理を実行することができる。
【００２０】
請求項６の発明によれば、基準とする原稿枚数の設定を容易にかつ的確に行うことができる。
【００２１】
請求項７の発明によれば、送信頻度の高い原稿枚数を基準とするときの、基準とする原稿枚数を、容易にかつ的確に設定することができる。
【００２２】
請求項８の発明によれば、同一の宛先に同じ枚数の原稿を送信する場合に、円滑な送信処理が可能となる。
【００２３】
請求項９の発明によれば、送信する原稿枚数を基準とする原稿枚数に設定するときに、その設定を容易にかつ的確に行うことができる。
【００２４】
請求項１０の発明によれば、例えば、定型業務などの予め定められている枚数の原稿を送信するときに、誤送信を抑えることができる画像送信装置が得られる。
【発明を実施するための最良の形態】
【００２５】
以下に、図面を参照しながら本発明の実施の一形態を説明する。
【００２６】
〔第１の実施の形態〕
図１には、本実施の形態に係る画像送信装置として適用した複合機１０の概略構成が示されている。この複合機１０は、ネットワークを介して入力されるデータを受信して、受信したデータに基づいた画像形成処理を行うプリント機能、原稿に記録された画像を記録紙に複写する複写機能、通信回線を介してデータの送信及び受信を行うファクシミリ機能を含んでいる。
【００２７】
この複合機１０には、装置上部に原稿読取部１２が設けられ、原稿読取部１２の下方に画像形成部１４が配置されている。原稿読取部１２は、原稿カバー１６内に原稿搬送部１８を備えている。原稿搬送部１８は、原稿カバー１６に設けられているフィーダトレイ１６Ａ上に装填された原稿２０を順に引き込んで図示しないプラテンガラス上に搬送して原稿２０に記録された画像の読み込みを可能とする。また、原稿搬送部１８は、画像の読み込みが終了した原稿２０を原稿カバー１６に設けている原稿排出トレイ１６Ｂ上に排出する。
【００２８】
また、原稿読取部１２には、ユーザによる各種の操作入力を可能とするユーザインターフェイス２２が設けられている。このユーザインターフェイス２２は、各種の情報を行うと共にソフトウェアプログラムによって入力を実現する表示ボタンが表示されるタッチパネル式のディスプレイ２４、テンキーやスタートボタンなどのハードウェアキー２６などが設けられている。ユーザインターフェイス２２は、ディスプレイ２４の表示ボタンやハードウェアキー２６によって複写機能を用いるときの複写枚数の設定や倍率設定、ファクシミリ機能を用いるときの電話機のダイヤルキーなどに用いられる。
【００２９】
画像形成部１４は、画像形成用の記録媒体となる記録紙が収容される給紙トレイ２８を備えている。画像形成部１４では、給紙トレイ２８に収容されている記録紙を、１枚ずつ取り出し、例えば、例えば、電子写真プロセスによって画像データに基づいた画像を記録紙に形成する。また、画像形成部１４では、画像形成を行った記録紙を順に図示しない排紙トレイ上へ排出する。
【００３０】
図２には、複合機１０の制御部３０の要部構成が示されている。
【００３１】
複合機１０の制御部３０は、装置全体の動作を司るＣＰＵ（中央処理装置）３２と、各種のデータが一時的に格納されるＲＡＭ（Random  Access  Memory）３３と、装置全体を制御する制御プログラムを含む各種のプログラムが記憶されるＲＯＭ（Read  Only  Memory）３４、各種のデータやプログラムを記憶するＨＤＤ（Hard  Disk  Drive）３５を含み、これらがシステムバスなどのバス（bus）３６によって接続され、これにより、一般的構成のコンピュータが形成されている。
【００３２】
なお、ＣＰＵ３２で実行される各種のプログラムは、ＲＯＭ３４、ＨＤＤ３５に格納されているものであってもよいが、ネットワーク等の通信回線を介して外部からデータ信号として受信されるものであってもよく、ＤＶＤ−ＲＯＭなどのコンピュータで読み取り可能な記憶媒体に格納された状態で提供されるものであっても良い。
【００３３】
制御部３０には、ユーザインターフェイス２２に接続され、ユーザインターフェイス２２のディスプレイ２４への各種の操作画面の表示を制御する表示制御部４２と、ユーザインターフェイス２２に接続され、ユーザインターフェイス２２を介して入力される操作指示を検出する操作入力検出部４４と、を備え、これらがバス３６に接続されている。
【００３４】
制御部３０には、原稿読取部１２による光学的な画像の読み取り動作及び、原稿搬送部１８による原稿送り動作を制御する読取制御部４６と、画像形成部１４による画像形成処理を制御する画像形成制御部４８と、備えている。また、制御部３０は、ネットワークに接続され、当該ネットワークに接続された他の端末装置との間で通信データの送受信を行うネットワークインターフェイス（ネットワークＩ／Ｆ）部５０と、電話回線などの一般の通信回線５２に接続され、当該通信回線５２に接続されているファクシミリ装置との間でファクシミリデータの送受信を行うファクシミリインターフェイス（ファクシミリＩ／Ｆ）部５４と、ファクシミリインターフェイス部５４を介してファクシミリ送受信を制御する送信制御部３８と、を備えている。制御部３０では、送信制御部３６、読取制御部４６、画像形成制御部４８、ネットワークインターフェイス部５０及び、ファクシミリインターフェイス部５４が、バス３６に接続されている。
【００３５】
これにより、複合機１０では、ＣＰＵ３２が、ＲＡＭ３３、ＲＯＭ３４及び、ＨＤＤ３５へのアクセスと、表示制御部４２を介したユーザインターフェイス２２のディスプレイ２４への操作画面、各種のメッセージなどの情報の表示制御と、読取制御部４６を介した原稿読取部１２及び原稿搬送部１８の作動制御と、画像形成制御部４８を介した画像形成部１４の作動の制御と、ネットワークインターフェイス部５０を介した通信データの送受信の制御と、送信制御部３８によるファクシミリインターフェイス部５４を介したファクシミリデータの送受信の制御と、を行う。また、制御部３０では、ＣＰＵ３２が、操作入力検出部４４によって検出された操作情報に基づくユーザインターフェイス２２における操作内容の把握が行われて、この操作内容に基づく各種の制御を行う。
【００３６】
複合機１０の制御部３０では、このユーザインターフェイス２２上で、ファクシミリ機能（ファクシミリ送信）が指定されたことが検出されると、送信制御部３８が、ファクシミリ送信を実行する。ユーザは、複合機１０を用いたファクシミリ送信を実行する場合、フィーダトレイ１６Ａに原稿２０を装填すると共に、通信先となる電話番号（以下、宛先とする）をユーザインターフェイス２２から入力する。この宛先は、電話番号をテンキーによって直接入力することもできるが、予め宛先名と共に電話番号を入力して、例えば、ＨＤＤ３５に格納しておくこともできる。
【００３７】
また、制御部３０では、ユーザインターフェイス２２上でハードウェアキー２６として設けているスタートボタンが操作されたことを検出すると、原稿読取部１２を作動させ、フィーダトレイ１６Ａに装填される原稿２０の画像の読み込みを開始する。制御部３０では、全ての原稿２０から画像の読み込みを終了すると、読み込んだ画像データを、送信制御部３８を介してファクシミリインターフェイス部５４へ転送する。送信制御部３８では、ファクシミリインターフェイス部５４を用い、通信回線５２を介して指定された宛先のファクシミリ装置と接続し、画像データをファクシミリデータとして該当ファクシミリ装置へ送信する。
【００３８】
一方、ファクシミリ通信を用いた業務には、予め設定された原稿又は予め設定された書式の原稿を、予め設定されている宛先へ送信する定型業務がある。この定型業務でファクシミリ送信を行うときには、原稿２０の枚数が定まっていることが多い。
【００３９】
ここから、複合機１０では、ファクシミリ送信を行うときの宛先ごとの送信原稿（原稿２０）の基準とする枚数を設定して登録することができるようになっている（以下、基準原稿枚数とする）。この基準原稿枚数は、例えば、宛先が定型業務文書を送信する宛先に含まれているとき、送信される定型業務に応じた基準原稿枚数が設定される。この基準原稿枚数は、宛先ごとに設定されてＨＤＤ３５上の予め設定された記憶領域に格納される。
【００４０】
送信制御部３８では、ファクシミリ送信を行う宛先に対して基準原稿枚数が設定されていると、この基準原稿枚数を読み込む。また、画像読取部１２には、計数手段として計数部４０が設けられており、この計数部４０が、原稿画像を読み込むときに原稿２０の枚数を計数し、送信制御部３８において、計数した原稿枚数と基準原稿枚数とを比較され、この比較結果に基づいてファクシミリ送信の実行が制御される。
【００４１】
このときに、計数した原稿枚数と、該当宛先に対して設定されている基準原稿枚数が相違すると、送信制御部３８では、ユーザインターフェイス２２のディスプレイ２４に、例えば、送信を継続するか否かの確認を促す表示を行ない待機状態とする。この後、ディスプレイ２４上の表示に対する操作が行われ、その操作が検出されると、送信制御部３８では、検出された操作内容に基づいた処理を実行する。すなわち、送信制御部３８では、ファクシミリ送信を継続する指示が入力されたことを検出すると、画像データをファクシミリデータとして指定されている宛先へ送信されるように制御する。また、送信中止を指示する操作がなされたことを検出すると、送信制御部３８では、ファクシミリ送信がおこなわれないように制御し、例えば、読み込んだ画像データの消去を行うなどして、該当原稿２０に対するファクシミリ送信を中止する。
【００４２】
以下に第１の実施の形態として、宛先ごとの基準原稿枚数の設定及び、設定した基準原稿枚数に応じたファクシミリ送信の制御を説明する。
【００４３】
複合機１０では、ファクシミリ送信を行うときの特定の宛先の電話番号を、例えば、短縮番号と対応付けて、所謂宛先表と呼ばれる記憶領域に記憶することができる。原稿画像の送信処理を行う際に、宛先表に登録した特定の送信先（宛先）を選択したり、特定の電話番号に対応付けた短縮番号を選択することによって、送信先として指定することを可能としている。このような宛先表への登録情報には、電話番号と短縮番号とを対応付けるだけでなく、宛先名、原稿２０を読み取るときの画質となる解像度等の画質設定値、Ｇ３かＧ４かなどの通信モード、原稿サイズなどを、その宛先に送信する際の読み取り処理や送信処理のパラメータの組み合わせとして、宛先に関連付けて登録することも可能である。このような宛先に対応付けたパラメータとして、基準原稿枚数を宛先表に登録するようにしても良い。
【００４４】
宛先表において、基準原稿枚数を宛先に対応付けて登録するものだけでなく、変形例として、特定の処理に関するパラメータのセットを登録しておき、登録したパラメータのセットを読み出して再利用するジョブメモリ機能にも適用することが可能である。つまり、ジョブメモリに登録するパラメータの一つとして、基準原稿枚数を登録するようにすることで、登録したジョブメモリを使用して送信する場合に、基準原稿枚数と実際に読み取った原稿枚数の比較結果に基づいた送信処理が行われる。
【００４５】
このような変形例によれば、繰り返し同じ設定を再利用することを前提としたジョブメモリに対して、基準原稿枚数を設定することで、定型的な繰り返し業務の範囲で原稿送信枚数が限られている場合に、ジョブメモリ単位での原稿枚数管理を設定することが可能となる。
【００４６】
さらに、変形例としては、複数の処理や機能の連携とやりとりするデータとの関連を定義することにより、一連の処理を定義する連携処理記述を用いるような場合においても、基準とする原稿枚数を登録するものでも良い。このような連携処理記述としては、処理に用いられる画像などのデータに対して、一連の処理として、処理内容と処理条件、さらに処理の連携順序を定義したジョブフローが挙げられ、ジョブフローの処理条件の一部としても、基準とする原稿枚数を予め定義しておくことができる。
【００４７】
これにより、繰り返し使われる処理を、ジョブフローのような処理記述に基づいて定義した場合に、定型的な業務で、いつも処理する原稿枚数を基準とする原稿枚数（基準原稿枚数）として登録しておくことで、ジョブフローの実行の際に読み取り原稿枚数を比較するように動作する。
【００４８】
なお、短縮番号からの宛先の選択、宛先表からの宛先の選択、ジョブメモリからの処理の選択、ジョブフローからの処理の選択では、定型業務であっても業務内容が異なることがあるので、同一の宛先であっても基準原稿枚数が異なることを許容している。
【００４９】
図３（Ａ）には、宛先表を登録するときに、ユーザインターフェイス２２のディスプレイ２４に表示するグラフィックユーザインターフェイス（ＧＵＩ６０とする）の一例を示している。
【００５０】
このＧＵＩ６０では、宛先表上でのパラメータの項目及び項目ごとの設定が表示される。ここで、「送信原稿枚数」の項目をタッチ操作によって選択し、設定／変更ボタン６２をタッチすることにより、送信原稿枚数を基準原稿枚数として設定することができる。
【００５１】
なお、このＧＵＩ６０では、取り消しボタン６４Ａを操作することにより、登録／設定処理を取り消すことができ、決定ボタン６４Ｂを操作することにより、設定内容を登録することができる。また、削除ボタン６４Ｃを操作することにより、該当宛先表に対する全ての登録内容を削除して、未設定状態とすることができる。さらに、この宛先表を、ジョブメモリに登録することもできる。
【００５２】
図３（Ｂ）には、ジョブフローの確認／変更を行うときに、ユーザインターフェイス２２のディスプレイ２４に表示される一例とするＧＵＩ６６を示している。このＧＵＩ６６では、ジョブフローにおけるパラメータとなる設定項目と、設定項目に対する設定値が表示される。
【００５３】
ここで、「送信原稿枚数」の項目をタッチ操作によって選択し、設定／変更ボタン６２をタッチすることにより、送信原稿枚数を基準原稿枚数Ｅｓとして設定することができる。
【００５４】
図３（Ｃ）には、図３（Ａ）に示すＧＵＩ６０又は、図３（Ｂ）のＧＵＩ６６で「送信原稿枚数」のパラメータの設定／変更が選択されたときに、ディスプレイ２６の表示の一例とするＧＵＩ６８を示している。
【００５５】
このＧＵＩ６８では、アップボタン７０Ｕを操作することにより原稿枚数の表示を増加させ、ダウンボタン７０Ｄを操作することにより原稿枚数の表示を減少させることができる。
【００５６】
また、このＧＵＩ６８では、閉じるボタン７０Ａを操作することにより表示された原稿枚数が、送信原稿枚数、すなわち基準原稿枚数Ｅｓに設定される。なお、取り消しボタン７０Ｂが操作さされたときは、設定／登録処理を中止し、前画面（ここでは、図３（Ａ）又は図３（Ｂ））に戻る。
【００５７】
一方、図４には、基準原稿枚数Ｅｓを用いたファクシミリ送信処理の一例を示している。このフローチャートでは、最初のステップ１００でファクシミリ送信開始の指示を検出したか否かを確認している。なお、以下では、計数した原稿枚数をＣｓ、基準原稿枚数をＥｓとして表記する。
【００５８】
ここで、ファクシミリ送信を行う原稿２０がフィーダトレイ１８Ａに装填され、宛先が選択された状態でスタートキーが操作されると、操作入力検出部４４でスタートキーの操作が検出され、これにより、ステップ１００で肯定判定されてステップ１０２へ移行する。
【００５９】
このステップ１０２では、原稿２０の読み込みを実行する。また、このステップ１０２では、原稿２０の読み込みを実行しながら、読み込んだ原稿２０の枚数（原稿枚数Ｃｓ）の計数を行う。
【００６０】
また、ステップ１０４では、原稿２０の読み込みが終了したか否かを確認し、原稿２０の読み込みが終了すると、ステップ１０４で肯定判定してステップ１０６へ移行する。このステップ１０６では、指定された宛先に対する基準原稿枚数Ｅｓを読み込み、ステップ１０８では、計数した原稿枚数Ｃｓと基準原稿枚数Ｅｓとが相違するか否かを確認する。
【００６１】
ここで、計数した原稿枚数Ｃｓと基準原稿枚数Ｅｓが相違しないときには、ステップ１０８で否定判定して、ステップ１１０へ移行し、指定された宛先へのファックス送信が行われるように制御される。
【００６２】
一方、原稿枚数Ｃｓと基準原稿枚数Ｅｓが相違すると、ステップ１０８で肯定判定してステップ１１２へ移行する。このステップ１１２では、ユーザイーターフェイス２２のディスプレイ２４上に原稿枚数確認画面を表示し、原稿枚数Ｃｓの確認を要求する。
【００６３】
図５には、このときの原稿枚数確認画面の一例とするＧＵＩ７２を示している。このＧＵＩ７２では、読み込んで原稿枚数Ｃｓと基準原稿枚数Ｅｓとを表示する。また、このＧＵＩ７２では、スタートボタン７４（スタートする）及びストップボタン７６（スターとしない）が表示される。
【００６４】
ここで、ユーザは、原稿枚数Ｃｓに間違いが無いときは、スタートボタン７４を操作し、原稿枚数Ｃｓに間違いがあるときには、ストップボタン７６を操作する。
【００６５】
図４のフローチャートでは、ステップ１１４でスタートボタン７４の操作を検出したかを確認し、ステップ１１６でストップボタン７６の操作を検出したかを確認している。
【００６６】
ここで、スタートボタン７４が操作されたことを検出すると、ステップ１１４で肯定判定してステップ１１０へ移行し、ファックス送信が実行されるように制御する。
【００６７】
これに対して、ストップボタン７６が操作されたことを検出すると、ステップ１１６で肯定判定して、ファクシミリ送信を実行されないように制御し、該当原稿２０に対する処理を終了する。
【００６８】
一方、基準原稿枚数Ｅｓは、例えば、１０枚とするのではなく、１０枚と１２枚とするなど、一つの値ではなく、複数の値が設定されるものであっても良い。
【００６９】
また、基準原稿枚数Ｅｓは、例えば、１０枚から１２枚などのように範囲を指定して幅を持たせるようにしても良い。このときには、図６に示されるように、例えば、ＧＵＩ６０上で「送信原稿枚数」の項目の設定が「１０〜１２枚」などとして宛先表が設定される。
【００７０】
図７には、基準原稿枚数Ｅｓが、基準原稿枚数Ｅｓ１〜基準原稿枚数ＥｓＨ（ＥｓＬ＜ＥｓＨ）として設定されるときの処理の流れを示している。
【００７１】
このフローチャートでは、原稿２０の読み込みが終了すると、ステップ１２０で基準原稿枚数Ｅｓとして基準原稿枚数の範囲（基準原稿枚数ＥｓＬ、ＥｓＨ）を読み込む。次にステップ１２２では、原稿枚数Ｃｓが基準原稿枚数Ｅｓとして設定されている範囲内かを確認する。
【００７２】
ここで、原稿枚数Ｃｓが、基準原稿枚数Ｅｓの範囲であるとき（ＥｓＬ≦Ｃｓ≦ＥｓＨ）は、ステップ１２２で肯定判定してステップ１１０へ移行し、ファクシミリ送信が実行されるように制御する。
【００７３】
これに対して、原稿枚数Ｃｓが、基準原稿枚数ＥｓＬより少ないか（Ｃｓ＜ＥｓＬ）、基準原稿枚数ＥｓＨより多い（ＥｓＨ＜Ｃｓ）と、ステップ１２２で否定判定してステップ１２４へ移行し、原稿枚数の確認を促すものであればよい。
【００７４】
また、以上の説明では、指定された宛先に対して、基準原稿枚数Ｅｓが設定されているものとして説明したが、定型業務以外でファクシミリ送信を行う場合、宛先に基準原稿枚数Ｅｓが設定されていないことがあり、また、定型業務でのファクシミリ送信を行う宛先であっても、基準原稿枚数Ｅｓが登録されていないことがある。
【００７５】
この場合、原稿枚数Ｃｓの確認を促す方法と、確認せずにファクシミリ送信を行う方法とを選択できる。図８には、このときの選択を行うＧＵＩ７８を示している。なお、このＧＵＩ７８は、ユーザインターフェイス２２のディスプレイ２４に表示される。
【００７６】
このＧＵＩ７８では、「確認画面を表示する」ように選択する選択ボタン８０Ａと、「確認画面を表示する」ように選択する選択ボタン８０Ｂと、が表示され何れかを選択することができる。また、決定ボタン６４Ｂを操作することにより、選択結果が設定される。
【００７７】
図９には、基準原稿枚数Ｅｓが設定されていない宛先を含むときの一例とする処理の流れを示している。
【００７８】
このフローチャートでは、原稿２０の読込みが終了し、ステップ１０４で肯定判定されるとステップ１３０へ移行する。このステップ１３０では、指定された宛先に対して基準原稿枚数Ｅｓが設定されているか否かを確認する。
【００７９】
ここで、基準原稿枚数Ｅｓが設定されていないと、ステップ１３０で否定判定してステップ１３２へ移行する。このステップ１３２では、ＧＵＩ７８上で選択ボタン８０Ｂが選択されて、原稿枚数確認画面の非表示に設定されているかを確認する。
【００８０】
このときに、非表示に設定されていると、ステップ１３２で肯定判定して、ステップ１１０へ移行し、ファクシミリ送信を実行する。
【００８１】
一方、確認画面を表示するように設定されていると、ステップ１３２で否定判定されてステップ１３４へ移行し、原稿枚数確認画面を表示する。このときには、例えば、計数した原稿枚数Ｃｓを表示し、ファクシミリ送信を実行するか、ファクシミリ送信を中止するか否かを選択しうるものであれば良い。
【００８２】
ここで、ステップ１３６では、ファクシミリ送信の実行の指示が検出されたかを確認し、ステップ１３８では、ファクシミリ送信の中止の指示が検出されたか確認している。これにより、ファクシミリ送信の実行の指示が検出されると、ステップ１３６で肯定判定してステップ１１０へ移行し、ファクシミリ送信を行うように制御する。また、ファクシミリ送信の中止の指示が検出された場合には、ステップ１３８で肯定判定して処理を終了する。
【００８３】
〔第２の実施の形態〕
次に本発明の第２の実施の形態を説明する。なお、第２の実施の形態の基本的構成は、前記した第１の実施の形態と同じであり、第２の実施の形態において第１の実施の形態と同じ部品には、同じ番号を付与してその説明を省略する。
【００８４】
前記した第１の実施の形態では、予め宛先ごとに基準原稿枚数Ｅｓを設定して、この基準原稿枚数Ｅｓに基づいてファクシミリ送信が行われるように説明したが、読み込んだ原稿枚数Ｃｓが、基準原稿枚数Ｅｓと相違するときには、読み込んだ原稿枚数Ｃｓを基準原稿枚数Ｅｓに追加するようにしてもよい。
【００８５】
図１０には、このときの処理の一例を示している。このフローチャートでは、原稿枚数Ｃｓが基準原稿枚数Ｅｓと相違し、ステップ１０８で肯定判定されるとステップ１４０へ移行する。
【００８６】
このステップ１４０では、原稿枚数Ｃｓの確認に加えて、この原稿枚数Ｃｓを基準原稿枚数Ｅｓに設定するかを確認する確認画面を表示する。
【００８７】
図１１には、このときにユーザインターフェイス２２のディスプレイ２６の表示の一例とするＧＵＩ８２を示している。このＧＵＩ８２では、スタートボタン７２として、原稿枚数Ｃｓを基準原稿枚数Ｅｓとして保存してファクシミリ送信を実行するように指示（登録スタート指示）するスタートボタン７２Ａと、基準原稿枚数Ｅｓとして保存せずにファクシミリ送信を実行するように指示（非登録スタート指示）するスタートボタン７２Ｂが設けられている。
【００８８】
図１０に示されるフローチャートでは、ステップ１４０で原稿枚数確認画面（図１１のＧＵＩ８２）を表示すると、ステップ１４２では、非登録スタートの指示が検出されたかを確認し、ステップ１４４では、登録スタートの指示が検出されたか否かを確認している。
【００８９】
ここで、非登録スタートの指示が検出されるとステップ１４２で肯定判定してステップ１１０へ移行し、ファクシミリ送信を実行する。
【００９０】
これに対して登録スタートの指示が検出されるとステップ１４４で肯定判定してステップ１４６へ移行する。このステップ１４６では、計数した原稿枚数Ｃｓを、基準原稿枚数Ｅｓの一つとして加える登録設定を行う。この後、ステップ１１０へ移行し、ファクシミリ送信を実行する。なお、ここでは、原稿枚数Ｃｓを基準原稿枚数Ｅｓに追加するようにしているが、これに限らず、原稿枚数Ｃｓを新たな基準原稿枚数Ｅｓに設定する更新処理を行うものであっても良い。
【００９１】
〔第３の実施の形態〕
次に第３の実施の形態を説明する。なお、第３の実施の形態において、前記した第１又は第２の実施の形態と同一の構成には、同一の符号を付与してその説明を省略する。
【００９２】
ここで説明する第３の実施の形態では、送信履歴上での原稿枚数Ｃｓを基準原稿枚数Ｅｓとして用い、この基準原稿枚数Ｅｓに基づいてファクシミリ送信が制御される。
【００９３】
図１２には、このときの処理の一例を示している。このフローチャートでは、原稿２０の読み込みが終了してステップ１０４で肯定判定されるとステップ１５０へ移行する。このステップ１５０では、指定されている宛先に対する送信履歴があるか否かを確認する。
【００９４】
ここで、送信履歴がない場合、ステップ１５０で否定判定されてステップ１３４へ移行する。このステップ１３４では、ディスプレイ２４に原稿枚数確認画面を表示し、ファクシミリ送信を実行するか否かの確認を促す。
【００９５】
これにより、ファクシミリ送信の実行の指示が検出されたときは、ステップ１３６で肯定判定してステップ１１０へ移行し、ファクシミリ送信の中止の指示が検出されたときには、ステップ１３８で肯定判定して処理を終了する。なお、原稿枚数Ｃｓの確認を行うか否かの設定がなされているときには、図９のステップ１３２と同等の処理を行うように加えても良い。
【００９６】
これに対して、送信履歴があるときには、ステップ１５０で肯定判定してステップ１５２へ移行し、指定されている宛先に対する送信履歴ごとの原稿枚数Ｃｓを読み込み、読み込んだ原稿枚数Ｃｓを基準原稿枚数Ｅｓとして設定する。このときに、複数の送信履歴があるときには、原稿枚数Ｃｓが重複しないように基準原稿枚数Ｅｓとして設定する。
【００９７】
この後、ステップ１０８では、今回読の原稿枚数Ｃｓが基準原稿枚数Ｅｓと相違するか否かの確認を行い、相違しないときには、ステップ１０８で否定判定してステップ１１０へ移行し、ファクシミリ送信を実行する。
【００９８】
また、原稿枚数Ｃｓが基準原稿枚数Ｅｓと相違するときには、ステップ１０８で肯定判定して、原稿枚数確認画面を表示して（ステップ１１２）、ファクシミリ送信の中止指示が検出されると、ステップ１１６で肯定判定して処理を終了する。
【００９９】
また、ファクシミリ送信の実行の指示が検出されると、ステップ１１４で肯定判定してステップ１１０へ移行し、ファクシミリ送信を実行する。
【０１００】
このようにしてファクシミリ送信を実行すると、次のステップ１５４では、ファクシミリ送信を実行した宛先に関連付けて原稿枚数Ｃｓを送信履歴として保存する。
【０１０１】
一方、ここでは、送信履歴上での原稿枚数を基準原稿枚数Ｅｓとして説明したが、これに限らず、送信回数が最も多い原稿枚数を基準原稿枚数Ｅｓとして用いることもでき、また、該当宛先に対する前回のファクシミリ送信における原稿枚数を基準原稿枚数Ｅｓとして用いてもよく、さらに、最多回数と前回の原稿枚数を基準原稿枚数Ｅｓとし用いてもよい。
【０１０２】
図１３には、このときの処理の一例を示している。このフローチャートでは、原稿２０の読み込みが終了してステップ１０４で肯定判定されると、ステップ１５０へ移行し、送信履歴があるか否かを確認する。
【０１０３】
ここで、送信履歴があると、ステップ１５０で肯定判定してステップ１６０へ移行する。このステップ１６０では、ファクシミリ送信回数が最も多い原稿枚数を読み出して、基準原稿枚数Ｅｓに設定する。次のステップ１６２では、原稿枚数Ｃｓが、ファクシミリ送信回数に基づいた基準原稿枚数Ｅｓと相違するか否かを確認する。
【０１０４】
このときに、原稿枚数Ｃｓがファクシミリ送信回数に基づいた基準原稿枚数Ｅｓと相違しないと、ステップ１６２で否定判定して、ステップ１６４へ移行する。このステップ１６４では、前回のファクシミリ送信時の原稿枚数を読み出して、読み出した原稿枚数を基準原稿枚数Ｅｓに設定する。次のステップ１６６では、今回の原稿枚数Ｃｓが、前回のファクシミリ送信時の原稿枚数に基づいた基準原稿枚数Ｅｓと相違するか否かを確認する。
【０１０５】
原稿枚数Ｃｓが、前回のファクシミリ送信に基づいた基準原稿枚数Ｅｓと相違しないときには、ステップ１６６で否定判定してステップ１１０へ移行し、ファクシミリ送信を行う。
【０１０６】
これに対して、今回の原稿枚数Ｃｓが、ファクシミリ送信回数又は前回のファクシミリ送信に基づいた基準原稿枚数Ｅｓの何れかと相違するときには、ステップ１６２又はステップ１６６で否定判定されてステップ１１２へ移行し、原稿枚数確認画面を表示する。また、この表示に基づいてスタートボタン７２が操作されたことを検出したときに、ステップ１１４で肯定判定してステップ１１０へ移行し、ファクシミリ送信が実行されるようにする。
【０１０７】
このように、複合機１０では、原稿枚数の比較対象である基準原稿枚数Ｅｓに基づいて、ファクシミリ送信を実行するか否かを判断している。これにより、定型業務上でのファクシミリ送信を行うときには、原稿枚数Ｃｓが基準原稿枚数Ｅｓと一致していれば、原稿枚数の確認要求を表示せずにファクシミリ送信を実行するようにしてもよい。
【０１０８】
また、原稿枚数Ｃｓが基準原稿枚数Ｅｓと相違するときには、ユーザに原稿枚数の確認を促し、ファクシミリ送信の実行指示が検出されたときに、ファクシミリ送信を実行するような実施形態であれば、定型業務以外でファクシミリ送信を行うときに、原稿枚数を確認してファクシミリ送信を実行することができる。基準原稿枚数Ｅｓ以外での送信処理が想定されないような場合には、逆に、原稿枚数Ｃｓが基準原稿枚数Ｅｓと相違する際に、ファクシミリ送信が実行されないようにしても良い。
【０１０９】
宛先表などの送信先に関する情報を登録する際に、宛先に応じて基準原稿枚数Ｅｓを設定する場合や、ジョブメモリと呼ばれるパラメータのセットに対して基準原稿枚数Ｅｓを設定する場合や、ひとつあるいは複数の機能に対する実行条件と処理の順序を記述したジョブフローにより一連の処理を連携させる場合のジョブフローに基準原稿枚数Ｅｓを設定する場合など、所定の送信処理に対して基準原稿枚数Ｅｓを設定することができる。
【０１１０】
その際、宛先に対応付けて基準原稿枚数Ｅｓが設定されている状態で、その宛先を用いたジョブメモリやジョブフローに対して基準原稿枚数Ｅｓが設定される場合があり、宛先に対応付けられた基準原稿枚数Ｅｓと、ジョブメモリやジョブフローに対応付けられた基準原稿枚数Ｅｓとが相違する場合がありえる。
【０１１１】
このような場合には、どちらの基準原稿枚数Ｅｓも有効なものとしてユーザが恣意的に、宛先に登録した基準原稿枚数Ｅｓとは異なる値を設定したと判断して、ジョブメモリあるいはジョブフローに設定した基準原稿枚数Ｅｓを優先するようにしてもよい。
【０１１２】
基準原稿枚数Ｅｓとして複数の値を設定し、実際に読み取った原稿枚数Ｃｓが何れかの値に一致した場合に送信処理が実行されるようにしても良い。あるいは、基準原稿枚数Ｅｓとする値を範囲として設定することにより、読み取った原稿枚数Ｃｓが、当該範囲に含まれる場合に、送信処理が実行されるようにしても良い。
【０１１３】
また、宛先ごとの送信履歴に基づき、送信回数が最も多い原稿枚数を基準原稿枚数Ｅｓに設定するようにしたり、直前に送信処理を実行した際の原稿枚数を基準原稿枚数Ｅｓに設定してもよい。
【０１１４】
さらに、送信履歴から基準原稿枚数Ｅｓを設定する場合の変形例としては、ファクシミリ送信を行うときに、その送信処理で読み取った原稿枚数Ｃｓを基準原稿枚数Ｅｓとして設定するか否かを選択できるようにしても良い。
【０１１５】
なお、以上の説明では、原稿の枚数を計数し、この原稿枚数と予め設定されている送信先に対する原稿枚数を比較することにより、ファクシミリ送信を許可するか否かを判断するようにしているが、原稿枚数に加えて例えば、原稿がＡ４サイズであるかＢ５サイズであるかなどの原稿のサイズを検出し、原稿枚数及び原稿サイズが、予め設定されている原稿枚数及び原稿サイズであるときに、指定されている送信先へのファクシミリ送信を実行するものであっても良い。これにより、定型業務を行うときに、的確な誤送信の防止を図ることができる。
【０１１６】
また、以上説明した本実施の形態では、原稿画像送信装置としてファクシミリ機能を備えた複合機１０を例に説明したが、本発明は、これに限らず、ファクシミリ機能を備えた一般的構成のファクシミリ装置に適用することができる。
【０１１７】
さらに、本発明は、ファクシミリ装置に限らず、例えば、ドキュメントなどを原稿として、この原稿又は原稿が含まれるファイルを、電子メールに添付して送信するパーソナルコンピュータなどの通信端末に適用しても良い。
【図面の簡単な説明】
【０１１８】
【図１】本実施の形態に係る複合機の要部斜視図である。
【図２】制御部の要部構成図である。
【図３】（Ａ）〜（Ｃ）は表示の一例を示す構成図であり、（Ａ）は宛先表の登録を示し、（Ｂ）はジョブフローの登録を示し、（Ｃ）は原稿枚数の設定を示している。
【図４】第１の実施の形態に係るファクシミリ送信処理の一例を示す流れ図である。
【図５】第１の実施の形態に係る原稿枚数確認画面の一例を示す構成図である。
【図６】第１の実施の形態に係る宛先表の登録の表示の他の一例を示す構成図である。
【図７】第１の実施の形態に係るファクシミリ送信処理の他の一例を示す流れ図である。
【図８】原稿枚数確認画面の表示選択時の表示の一例を示す構成図である。
【図９】ファクシミリ送信処理の図７に対する他の一例を示す流れ図である。
【図１０】第２の実施の形態に係るファクシミリ送信処理の一例を示す流れ図である。
【図１１】第２の実施の形態に係る原稿枚数確認画面の一例を示す構成図である。
【図１２】第３の実施の形態に係るファクシミリ送信処理の一例を示す流れ図である。
【図１３】第３の実施の形態に係るファクシミリ送信処理の他の一例を示す流れ図である。
【符号の説明】
【０１１９】
１０    複合機（画像送信装置）
１２    原稿読取部（画像読取手段）
２０    原稿
２２    ユーザインターフェイス
２４    ディスプレイ（確認要求手段）
３０    制御部
３５    ＨＤＤ（送信先情報記憶手段）
３８    送信制御部（送信制御手段）
４０    計数部（計数手段）
４２    表示制御部（確認要求手段）
４４    操作入力検出部
５２    通信回線
５４    ファクシミリインターフェイス部
６０、６６、６８、７２、７８    ＧＵＩ
【図１】
2010103593.tif 000003
【図２】
2010103593.tif 000004
【図３】
2010103593.tif 000005
【図４】
2010103593.tif 000006
【図５】
2010103593.tif 000007
【図６】
2010103593.tif 000008
【図７】
2010103593.tif 000009
【図８】
2010103593.tif 000010
【図９】
2010103593.tif 000011
【図１０】
2010103593.tif 000012
【図１１】
2010103593.tif 000013
【図１２】
2010103593.tif 000014
【図１３】
2010103593.tif 000015